(57)【要約】【課題】防音性能に優れると共に、施工が容易であり、かつ低コストで提供可能な床構造を提案すること。【解決手段】建築物の屋上又は室内の床構造であって、床下地１上に形成された防水層２と、該防水層２上に形成された防音層３と、該防音層３上に形成された合成樹脂発泡体からなる嵩上げ層４と、該嵩上げ層４上に形成された押さえコンクリート層５とからなり、前記防水層２と嵩上げ層４との間に、前記防音層３を貫通した状態で、上載荷重を支持する合成樹脂発泡体からなる荷重支持部材７が配置されている床構造１０とした。【選択図】図１
0003194554.tif 000002
【実用新案登録請求の範囲】
【請求項１】
建築物の屋上又は室内の床構造であって、床下地上に形成された防水層と、該防水層上に形成された防音層と、該防音層上に形成された合成樹脂発泡体からなる嵩上げ層と、該嵩上げ層上に形成された押さえコンクリート層とからなり、前記防水層と嵩上げ層との間に、前記防音層を貫通した状態で、上載荷重を支持する合成樹脂発泡体からなる荷重支持部材が配置されていることを特徴とする、床構造。
【請求項２】
上記嵩上げ層の厚みが、２０〜３００ｍｍであり、上記防音層の厚みが、１０〜１００ｍｍであることを特徴とする、請求項１に記載の床構造。
【請求項３】
上記荷重支持部材の上面の合計面積（Ｓ１）と、上記防音層の上面及び荷重支持部材の上面の合計面積（Ｓ２）の割合（Ｓ１ ／ Ｓ２） が、０．０４〜０．５であることを特徴とする、請求項１又は２に記載の床構造。
【請求項４】
上記荷重支持部材が、圧縮強度５〜５０Ｎ／ｃｍ2の合成樹脂発泡体からなることを特徴とする、請求項１〜３のいずれかに記載の床構造。
【請求項５】
上記嵩上げ層が、圧縮強度５〜５０Ｎ／ｃｍ2の合成樹脂発泡体からなることを特徴とする、請求項１〜４のいずれかに記載の床構造。
【請求項６】
上記防音層が、見掛け密度０．０２〜０．１８ｇ／ｃｍ3のポリオレフィン系樹脂発泡体からなることを特徴とする、請求項１〜５のいずれかに記載の床構造。
【考案の詳細な説明】
【技術分野】
【０００１】
本考案は、建築物の屋上又は室内における床構造に関し、特に嵩上げを目的として合成樹脂発泡板を使用した防音性能に優れた床構造に関するものである。
【背景技術】
【０００２】
従来、建築物の屋上又は室内における床構造として、排水溝等を設ける必要がある等の理由から嵩上げを目的として、合成樹脂発泡体とコンクリートとを併用した床構造が提案されている（例えば、特許文献１，２）。
この床構造は、床下地上に先ず嵩上げ用の合成樹脂発泡板を敷並べ、その上にコンクリート層を形成し、その上に床面が形成された床構造である。そして、合成樹脂発泡板としては、ポリスチレン発泡体、ポリエチレン発泡体、ポリウレタン発泡体などを用いることができるとしている。
【０００３】
しかしながら、上記特許文献１，２等に記載された床構造の如く、嵩上げを目的として合成樹脂発泡板を使用したものにあっては、合成樹脂発泡板による嵩上げ効果のみならず、断熱性をも期待できるものではあったが、人の歩行や荷役作業等による固体音に対する防音効果までは期待できず、振動が他に伝搬して騒音被害を招く憂いがあった。
【０００４】
一方、建築物の屋根又は室内における床構造として、防音性にも優れた床構造が特許文献３に提案されている。
この特許文献３に提案された技術は、建築物の屋根又は室内における床構造であって、床スラブ上面に敷設される緩衝体と、前記緩衝体上に敷設される断熱材と、前記断熱材上に敷設される仕上げ層とが積層されてなる、防音断熱床構造である（請求項２等）。
また、該特許文献３には、介在させた上記緩衝体が、仕上げ層からの荷重により圧縮され、その防音性能が低下することを防止する観点から、緩衝体よりクリープ変形の小さい天然ゴム或いは合成ゴムなどの弾性体を、緩衝体に形成した貫通孔に配設し、該弾性体によって仕上げ層からの荷重を支持させる構成とした、防音断熱床構造も提案されている（請求項４等）。
【先行技術文献】
【特許文献】
【０００５】
【特許文献１】特公平５−３９２２３号公報
【特許文献２】特開２００４−１７６４４１号公報
【特許文献３】特開２００３−１４７９４７号公報
【考案の概要】
【考案が解決しようとする課題】
【０００６】
しかしながら、上記特許文献３において提案された技術は、防音性を付与するために介在させる緩衝体の圧縮による防音性能の低下を懸念し、緩衝体に形成した貫通穴に配設されたクリープ変形の小さい弾性体、具体的には該特許文献３の〔００１１〕段に記載されているように、高価な天然ゴム或いは合成ゴムよりなる弾性体により仕上げ層からの荷重を支持させる構成としているため、施工コストが高いものとなっていた。
また、硬質の弾性体による断熱材の損傷を防止するため、弾性体と断熱材との間に補強板を介在させることもなされているが、該補強板の敷設に手間がかかるため、このことも施工コストを高める要因となっていた。
さらに、補強板としては主にフレキシブル板等の無機系の板が用いられるが、その場合、長期的に加わる上載荷重によって、補強板にひび割れ等の破損が生じることが問題となっていた。また、補強板として合板等の木質系の板を用いた場合には、補強板が腐食することが問題となっていた。
【０００７】
本考案は、建築物の屋上又は室内における床構造の上述した背景技術が有する課題に鑑み成されたものであって、その目的は、防音性能に優れると共に、施工が容易であり、かつ低コストで提供可能な床構造を提案することにある。
【課題を解決するための手段】
【０００８】
本考案は、上記した課題を解決するため、次の〔１〕〜〔６〕に記載した床構造とした。
〔１〕建築物の屋上又は室内の床構造であって、床下地上に形成された防水層と、該防水層上に形成された防音層と、該防音層上に形成された合成樹脂発泡体からなる嵩上げ層と、該嵩上げ層上に形成された押さえコンクリート層とからなり、前記防水層と嵩上げ層との間に、前記防音層を貫通した状態で、上載荷重を支持する合成樹脂発泡体からなる荷重支持部材が配置されていることを特徴とする、床構造。
〔２〕上記嵩上げ層の厚みが、２０〜３００ｍｍであり、上記防音層の厚みが、１０〜１００ｍｍであることを特徴とする、上記〔１〕に記載の床構造。
〔３〕上記荷重支持部材の上面の合計面積（Ｓ１）と、上記防音層の上面及び荷重支持部材の上面の合計面積（Ｓ２）の割合（Ｓ１ ／ Ｓ２） が、０．０４〜０．５であることを特徴とする、上記〔１〕又は〔２〕に記載の床構造。
〔４〕上記荷重支持部材が、圧縮強度５〜５０Ｎ／ｃｍ2の合成樹脂発泡体からなることを特徴とする、上記〔１〕〜〔３〕のいずれかに記載の床構造。
〔５〕上記嵩上げ層が、圧縮強度５〜５０Ｎ／ｃｍ2の合成樹脂発泡体からなることを特徴とする、上記〔１〕〜〔４〕のいずれかに記載の床構造。
〔６〕上記防音層が、見掛け密度０．０２〜０．１８ｇ／ｃｍ3のポリオレフィン系樹脂発泡体からなることを特徴とする、上記〔１〕〜〔５〕のいずれかに記載の床構造。
【考案の効果】
【０００９】
上記した本考案にかかる床構造によれば、防音層を貫通した状態で、上載荷重を支持する荷重支持部材が配置されているので、防音層の圧縮による防音性能の低下が防止され、防音性能に優れた床構造を提供できる。
また、本考案においては、上記荷重支持部材として合成樹脂発泡体を用いるので、天然ゴム或いは合成ゴムに比して安価であると共に、上層の嵩上げ層を損傷させることが少なく、補強板等を介在させる必要がなくなることから、施工性も良くなり、かつ低コストで提供可能な床構造となる。
【図面の簡単な説明】
【００１０】
【図１】本考案にかかる床構造の基本構成を示した縦断面図である。
【図２】本考案にかかる床構造において用いる防音層を形成する部材の一実施の形態を示した斜視図である。
【図３】本考案にかかる床構造において用いる防音層を形成する部材の他の実施の形態を示した斜視図である。
【図４】本考案にかかる床構造において用いる防音層を形成する部材の更に他の実施の形態を示した斜視図である。
【図５】本考案にかかる床構造において用いる荷重支持部材及び嵩上げ層を形成する部材の一実施の形態を示した斜視図である。
【図６】本考案にかかる床構造において用いる荷重支持部材及び嵩上げ層を形成する部材の他の実施の形態を示した斜視図である。
【図７】本考案にかかる床構造において用いる防音層、嵩上げ層を形成する積層体の一実施の形態を示した斜視図である。
【図８】本考案にかかる床構造において用いる防音層、嵩上げ層を形成する積層体の他の実施の形態を示した斜視図である。
【考案を実施するための形態】
【００１１】
以下、本考案にかかる床構造の実施の形態を、図面に基づいて詳細に説明する。
【００１２】
図１は、本考案にかかる床構造の基本構成を示した縦断面図であり、該図に示す床構造１０は、床下地１上に形成された防水層２と、該防水層２上に形成された防音層３と、該防音層３上に形成された合成樹脂発泡体からなる嵩上げ層４と、該嵩上げ層４上に形成された押さえコンクリート層５とからなり、前記嵩上げ層４を利用し、排水溝６が上方面一に形成されているものである。また、前記防水層２と嵩上げ層４との間に、前記防音層３を貫通した状態で、上載荷重を支持する合成樹脂発泡体からなる荷重支持部材７が配置されている。
【００１３】
上記床下地１については、既存の建築物の床の嵩上げに本考案にかかる床構造を用いる場合には、既存の床であり、また、一般的に床下地として適用される、下地処理（例えば、砂利や割栗石の敷設、砂による表面均しなど）を施した地盤、現場打ち鉄筋コンクリート、コンクリートブロック、軽量気泡コンクリートパネル、プレキャストコンクリートパネル等により構築された床スラブ等が挙げられ、これらのいずれであっても良い。通常、建築物の屋根又は室内に構築される床下地１は、１０〜３０ｃｍ程度の厚みに形成されたコンクリートスラブである。
【００１４】
防水層２は、従来より知られたものを適宜用いることができ、一般に建築物の屋根で雨水の浸透を防止する、アスファルト防水、シート防水、改質アスファルト防水、塗膜防水、モルタル防水等が広く使用できる。
防水層２の具体的な施工例としては、例えば、先ず床下地１の表面にアスファルトプライマーを塗布した後、その上にアスファルト塗布層をルーフィングを介在させた状態で多層に塗布形成し、アスファルト塗布層が多層構造からなる防水層２を形成することができる。このようにして形成された防水層２は、厚さが一般に３〜１０ｍｍのアスファルト層からなるものである。
【００１５】
上記防水層２上には、必要に応じて保護モルタル層が形成される。保護モルタル層は、セメントと砂と水とを混合した普通モルタル、或いはこれに樹脂（例えば、アクリル系樹脂）を混合して強度を向上させた樹脂モルタル等で形成したものとしても良い。保護モルタル層は、例えば、高さの目安となる水糸を張り、その水糸を目安に左官コテを用いてモルタルを均し、１０〜２０ｍｍ程度の厚みで形成され、防水層２を保護する。
【００１６】
上記防水層２上に形成される防音層３は、振動を絶縁するバネ及び減衰特性を持ったものであれば、特に形状、材質は限定されない。
防音層３の材質については、グラスウール、ロックウール等の無機繊維系のものや、セルロースファイバー、ポリエステル、ポリプロピレン等からなるフェルト、軟質ポリウレタンフォーム、ポリエチレンフォーム、ポリプロピレンフォーム、ポリスチレンフォーム等の合成樹脂発泡体等が採用可能であるが、その中でも、軽量で敷設施工性の良好な合成樹脂発泡体が好ましく、更には、弾性率が小さく、防振効果に優れ、吸水性が極めて低いポリエチレンフォーム、ポリプロピレンフォーム等のポリオレフィン系樹脂発泡体が特に好ましい。
ポリオレフィン系樹脂発泡体を使用する場合、その見掛け密度は０．０２〜０．１８ｇ／ｃｍ3 、更には０.０２５〜０.１ｇ／ｃｍ3のものが、防振特性における動的弾性率が小さい面で好ましい。
なお、本明細書における上記見掛け密度は、水没法により求めた発泡体の体積を、あらかじめ測定しておいた発泡体の質量で割り算し、単位を（ｇ／ｃｍ3）に換算することにより求めたものである。
【００１７】
防音層３の厚みは、１０〜１００ｍｍが好ましく、２０〜５０ｍｍが更に好ましい。厚みを上記範囲にすることで、十分な防音性能を有すると共に、居住スペースを確保する観点から好ましい。
【００１８】
形成された防音層３には、上下方向に貫通する複数個の貫通部８が形成されている。この貫通部８は、図２に示したように、例えば防音層を形成する各ポリオレフィン系樹脂発泡体３の板面に、貫通孔８Ａをそれぞれ穿設することにより形成しても良く、また図３に示したように、各ポリオレフィン系樹脂発泡体３の周縁に切欠き８Ｂをそれぞれ形成し、隣り合うポリオレフィン系樹脂発泡体３，３間に該切欠き８Ｂを利用した貫通部８が形成されるものとしても良い。更には、図４に示したように、間隙８Ｃを開けてポリオレフィン系樹脂発泡体３，３を配置し、その間隙８Ｃを貫通部８とするものであっても良い。
【００１９】
防音層３に形成される上記貫通部８は、その形状は何ら限定されるものではなく、円柱状、三角、四角、六角等の角柱状、更には交差あるいは平行した帯状のものであっても良いが、防音層３の板面に、偏りなく全体的に均等となるように配置されていることが好ましい。例えば図２に示したように、同一断面の円柱状貫通部８を、正方格子点上に配置する、或いは、図４に示したように、同一幅の帯状の貫通部８を、正方格子点を結ぶ線上に配置する等、全体的に均等に配置されていることが好ましい。また、上記貫通部８を穿設により形成する場合や切欠きを利用して貫通部とする場合等においては、１ｍ2当たり３箇所以上設けることが好ましい。
【００２０】
上記防音層３に形成された貫通部８には、上載荷重を支持するための荷重支持部材７が挿入配置されている。この荷重支持部材７は、本考案においては、合成樹脂発泡体を使用するため、天然或いは合成ゴムに比して安価であると共に、下層の防水層２及び上層の合成樹脂発泡体からなる嵩上げ層４を損傷させることが少なく、補強板等を介在させる必要がなくなることから、施工性も良くなり、低コストで構築できるものとなる。
【００２１】
荷重支持部材７は、耐荷重性の観点から、圧縮強度が５〜５０Ｎ／ｃｍ2であることが好ましく、１０〜４０Ｎ／ｃｍ2であることがより好ましく、１５〜３０Ｎ／ｃｍ2であることが更に好ましい。
なお、本明細書における上記圧縮強度は、ＪＩＳ Ａ９５１１（２００６Ｒ）に準じて測定した値である。
【００２２】
荷重支持部材７として用いられる合成樹脂発泡体としては、ポリスチレンフォーム、硬質ウレタンフォーム、フェノールフォーム、ポリエチレンフォーム等が挙げられ、これらのいずれを使用しても良いが、中でも、押出法ポリスチレンフォーム等のポリスチレン系樹脂発泡体は、圧縮クリープ特性に優れ、荷重に対する抵抗力があることから好ましい。
【００２３】
防音層３を貫通した状態で配置された荷重支持部材７は、その上面の合計面積（Ｓ１）と、防音層３の上面及び荷重支持部材７の上面の合計面積（Ｓ２）の割合（Ｓ１／Ｓ２）が、０．０４〜０．５であることが好ましく、０．０５〜０．４であることが更に好ましい。この値を上記範囲とすることで、上載荷重を十分に支持できる耐荷重性が得られ、また、防音層３による十分な防音性能が得られる。  
【００２４】
上記防音層３上に形成される嵩上げ層４としては、本考案においては、合成樹脂発泡体を用いる。これは、合成樹脂発泡体は、他のグラスウール、ロックウール等の無機繊維系断熱材や、セルロースファイバー、コルク、羊毛等の天然素材系断熱材に比して耐水性があり、かつ軽量で取り扱い易いためである。  合成樹脂発泡体としては、ポリスチレンフォーム、硬質ウレタンフォーム、フェノールフォーム、等が挙げられ、これらのいずれを使用しても良いが、中でも、押出法ポリスチレンフォーム等のポリスチレン系樹脂発泡体は、圧縮クリープ特性に優れ、荷重に対する抵抗力があることから好ましい。
ポリスチレン系樹脂発泡体を使用する場合、その見掛け密度は０．０１６ｇ／ｃｍ3以上であり、好ましくは０．０１６〜０．１ｇ／ｃｍ3である。ポリスチレン系樹脂発泡体の見掛け密度を上記範囲とすることで、荷重に対する十分な抵抗力が得られ、作業性が良く、コスト性も良いものとなる。また、耐荷重性の観点から、圧縮強度が５〜５０Ｎ／ｃｍ2であることが好ましく、１０〜４０Ｎ／ｃｍ2であることがより好ましく、１５〜３０Ｎ／ｃｍ2であることが更に好ましい。また、損傷防止の観点から、嵩上げ層４に用いられる合成樹脂発泡体の圧縮強度は、上記した荷重支持部材７に用いられる合成樹脂発泡体の圧縮強度以上であることが好ましい。
ポリスチレン系樹脂発泡体は、押出発泡成形体、発泡ビーズ成形体のいずれであってもよいが、押出発泡成形体が、圧縮クリープ特性の面では好ましい。
【００２５】
嵩上げ層４として、上記した荷重支持部材７に用いられる合成樹脂発泡体と同種の合成樹脂発泡体を用いても良い。この場合、嵩上げ層４と荷重支持部材７とを形成する部分を一体的に有する合成樹脂発泡体としても良い。例えば図５に示したように、裏面に複数の凸部７Ａを有する板状体にポリスチレン系樹脂発泡体４を成形し、該ポリスチレン系樹脂発泡体４を、図２に示した複数の貫通孔８Ａが形成された防音層を形成するポリオレフィン系樹脂発泡体３と、凸部７Ａを貫通孔８Ａに挿入する状態で積層させ、図７に示したように、ポリオレフィン系樹脂発泡体からなる防音層３と、該防音層３の上方に積層された嵩上げ層４と、前記防音層３を上下方向に貫通する状態で配置されたポリスチレン系樹脂発泡体からなる荷重支持部材７とを有する積層体としても良い。また、図６に示したように、裏面に複数の凹部７Ｂを有する板状体にポリスチレン系樹脂発泡体４を成形し、該凹部７Ｂに板状に形成された防音層を形成するポリオレフィン系樹脂発泡体３をそれぞれ嵌め込み、図８に示したように、ポリオレフィン系樹脂発泡体からなる防音層３と、該防音層３の上方に積層されたポリスチレン系樹脂発泡体からなる嵩上げ層４と、前記防音層３を上下方向に貫通する状態で配置されたポリスチレン系樹脂発泡体からなる荷重支持部材７とを有する積層体としても良い。
【００２６】
上記嵩上げ層４の厚みは、該嵩上げ層の形成目的、例えばレベル（高さ）調整、排水溝を設ける為等の目的により大きく相違したものとなるが、一般的に２０〜３００ｍｍ程度の厚みに形成される。
【００２７】
上記嵩上げ層４の上面には、押さえコンクリート層５が形成される。この押さえコンクリート層５は、一般的に現場打ちコンクリートが用いられるが、これに限定されるものではない。押さえコンクリート層５の厚さは、通常８０〜１５０ｍｍ程度に形成される。また、図１に示した実施の形態においては、この押さえコンクリート層５の形成に際して、嵩上げ層４を利用、即ち嵩上げ層４による嵩上げ効果により、排水溝６が上方面一に形成されている。
【００２８】
以上、説明した本考案にかかる床構造によれば、防音層３を貫通した状態で、上載荷重を支持するための荷重支持部材７が配置されているので、防音層３の圧縮による防音性能の低下が防止され、防音性能に優れた床構造となる。
また、本考案においては、上記荷重支持部材７として合成樹脂発泡体を用いるので、天然ゴム或いは合成ゴムに比して安価であると共に、上層の嵩上げ層４を損傷させることが少なく、補強板等を介在させる必要がなくなることから、施工性も良くなり、低コストで提供可能な防音断熱床構造となる。
【実施例】
【００２９】
次に、本考案の実施例を記載する。
【００３０】
図１に示す床構造において、コンクリートスラブ１の厚さ２００ｍｍ、防水層２をアスファルト防水１０ｍｍとした。防音層３として、ポリオレフィン系樹脂発泡体であるビーズ法架橋ポリエチレンフォーム（見掛け密度：０．０３６ｇ／ｃｍ3、厚さ：２５ｍｍ）を用い、該発泡体の板面に、１ｍ2当たり４個の貫通部８を正方格子点上に形成した。嵩上げ層４として、ポリスチレン系樹脂発泡体である押出法ポリスチレンフォーム（熱伝導率：０．０２８Ｗ／ｍ・Ｋ、見掛け密度：０．０２５ｇ／ｃｍ3、厚さ：４０ｍｍ）を用いた。貫通部８に、上記嵩上げ層４の形成に用いたポリスチレン系樹脂発泡体と同種の発泡体により形成した荷重支持部材７（圧縮強度：２０Ｎ／ｃｍ2、一辺の長さ：１５０ｍｍ、厚さ：２５ｍｍの四角柱状）を挿入配置した（Ｓ１／Ｓ２：０．０８）。継手を布ガムテープで養生し、コンクリートを打設することにより、押さえコンクリート層５（厚さ：１５０ｍｍ、単位面積当たりの荷重：３４５ｋｇ／ｍ2）を形成した。
【００３１】
上記した床構造の防音性能を、ＪＩＳ Ａ１４４０−１（２００７）「実験室におけるコンクリート床上の床仕上げ構造の床衝撃音レベル低減量の測定方法−第１部：標準軽量衝撃源による方法」に基づき、試験体上面の中心を打撃点としてタッピングマシンによる軽衝撃（５００ｇのハンマーによるタッピング）を加え、階下に設置したマイクロホンで衝撃音を捉えることにより評価した（実施例１）。また、比較のため、上記した床構造において、防音層３に貫通部８が形成されておらず、荷重支持部材７が防音層３に配置されていないことのみが異なる床構造のものについて、その防音性能を上記と同様の方法で評価した（比較例１）。
実施例１及び比較例１の測定結果を、表１に示す。
【００３２】
【表１】
0003194554.tif 000003
【００３３】
表１から、本考案の床構造に係る実施例１は、測定した全ての周波数帯域において、従来の床構造に係る比較例１と同等の床衝撃音レベル低減量を示しており、優れた防音効果を有するものであることがわかる。一方、本考案の床構造は、防音層３を貫通する状態で荷重支持部材７が配置されているため、当然ながら、防音層３の圧縮による防音性能の低下が防止されることとなり、優れた防音効果を長期にわたって維持できるものとなる。
【産業上の利用可能性】
【００３４】
本考案は、防音性能に優れると共に、施工が容易であり、低コストで提供可能な床構造であるので、集合住宅、病院・官公庁等の公共施設など、防振性能が要求される床構造として、広く利用できるものである。
【符号の説明】
【００３５】
１    床下地
２    防水層
３    防音層
４    嵩上げ層
５    押さえコンクリート層
６    排水溝
７    荷重支持部材
７Ａ    凸部
７Ｂ    凹部
８    貫通部
８Ａ    貫通孔
８Ｂ    切欠き
８Ｃ    間隙
【図１】
0003194554.tif 000004
【図２】
0003194554.tif 000005
【図３】
0003194554.tif 000006
【図４】
0003194554.tif 000007
【図５】
0003194554.tif 000008
【図６】
0003194554.tif 000009
【図７】
0003194554.tif 000010
【図８】
0003194554.tif 000011